(57)【要約】【課題】組立工程を簡素化して組立て効率を高め、人件費を減少できるモジュール化したワイヤレスイヤホンを提供すること。【解決手段】内部モジュールアセンブリ２０が回路モジュールと絶縁ハウジングを備え、回路モジュールが、相互に電気的に接続された検出接点、ＡＮＴセンサー、収音マイク及びコントロールスイッチを備え、絶縁ハウジングが回路モジュールを被覆し、かつ検出接点、収音マイク及びコントロールスイッチを絶縁ハウジングの外部に露出させ、給電ユニット３０が回路モジュールと相互に電気的に接続されて給電を行い、スピーカー４０が回路モジュールと相互に電気的に接続され、ハウジング５０が、内部モジュールアセンブリ２０と、給電ユニット３０と、スピーカー４０を被覆する。【選択図】図１
0003221202.tif 000002
【実用新案登録請求の範囲】
【請求項１】
モジュール化したワイヤレスイヤホンであって、内部モジュールアセンブリと、給電ユニットと、スピーカーと、ハウジングと、を含み、
該内部モジュールアセンブリが少なくとも１つの回路モジュールと絶縁ハウジングを備え、該回路モジュールが、相互に電気的に接続された、前記回路モジュールの信号伝達が正常であるか否かを検出するのに用いる少なくとも１つの検出接点と、ＡＮＴセンサーと、少なくとも１つの収音マイクと、少なくともワイヤレスイヤホンのオン、オフに用いられるコントロールスイッチを備え、前記絶縁ハウジングが前記回路モジュールを被覆し、かつ前記検出接点と、収音マイクと、コントロールスイッチを該絶縁ハウジングの外部に露出させ、
前記給電ユニットが前記回路モジュールと相互に電気的に接続されて給電を行い、
前記スピーカーが前記回路モジュールと相互に電気的に接続され、
前記ハウジングが、前記内部モジュールアセンブリと、給電ユニットと、スピーカーを被覆する、
ことを特徴とする、モジュール化したワイヤレスイヤホン。
【請求項２】
前記回路モジュールがさらに、少なくとも１つのリジッド回路板を含み、かつ前記検出接点と、ＡＮＴセンサーと、収音マイクと、コントロールスイッチが前記リジッド回路板上に設置され、かつ該リジッド回路板が前記絶縁ハウジングに被覆されることを特徴とする、請求項１に記載のモジュール化したワイヤレスイヤホン。
【請求項３】
前記回路モジュールがさらに、少なくとも１つのリジッド回路板及び少なくとも１つのフレキシブル回路板を含み、前記検出接点とコントロールスイッチが該リジッド回路板上に設置され、前記ＡＮＴセンサーと収音マイクが該フレキシブル回路板上に設置され、かつ前記リジッド回路板とフレキシブル回路板が前記絶縁ハウジングに被覆されることを特徴とする、請求項１に記載のモジュール化したワイヤレスイヤホン。
【請求項４】
前記回路モジュールがさらに少なくとも１つの充電接点を含み、かつ該充電接点が該フレキシブル回路板上に設置されることを特徴とする、請求項２または３に記載のモジュール化したワイヤレスイヤホン。
【請求項５】
前記回路モジュールがさらに少なくとも１つの発光ユニットを含み、該発光ユニットが前記リジッド回路板上に設置されることを特徴とする、請求項２または３に記載のモジュール化したワイヤレスイヤホン。
【請求項６】
前記回路モジュールが前記給電ユニットと相互に電気的に接続された少なくとも１つの給電接点を含み、該給電接点が前記リジッド回路板上に設置されることを特徴とする、請求項２または３に記載のモジュール化したワイヤレスイヤホン。
【請求項７】
前記回路モジュールがさらに少なくとも１つの充電接点と、少なくとも１つの発光ユニットと、少なくとも１つの給電接点を含み、かつ前記収音マイクがさらに第１収音マイクと、第２収音マイクを含むことを特徴とする、請求項１に記載のモジュール化したワイヤレスイヤホン。
【請求項８】
前記回路モジュールがさらに、第１リジッド回路板と、第２リジッド回路板と、該第１リジッド回路板と該第２リジッド回路板の間に連接された第１フレキシブル回路板と、該第１リジッド回路板に連接された第２フレキシブル回路板と、該第２リジッド回路板に連接された第３フレキシブル回路板を含み、前記検出接点と、コントロールスイッチと、発光ユニットが該第１リジッド回路板上に設置され、前記給電接点が該第２リジッド回路板上に設置され、前記第１収音マイクが該第１フレキシブル回路板上に設置され、前記ＡＮＴセンサーが該第２フレキシブル回路板上に設置され、前記第２収音マイク及び給電接点が該第３フレキシブル回路板上に設置されることを特徴とする、請求項７に記載のモジュール化したワイヤレスイヤホン。
【請求項９】
前記第１リジッド回路板及び第２リジッド回路板が可撓性を備えておらず、前記絶縁ハウジングに被覆されることを特徴とする、請求項８に記載のモジュール化したワイヤレスイヤホン。
【請求項１０】
前記第１フレキシブル回路板と、前記第２フレキシブル回路板と、前記第３フレキシブル回路板がそれぞれ可撓性を備え、かつ前記絶縁ハウジングに被覆されることを特徴とする、請求項８に記載のモジュール化したワイヤレスイヤホン。
【考案の詳細な説明】
【技術分野】
【０００１】
本考案は、モジュール化したワイヤレスイヤホンに関し、特に、組立て効率を高め、人件費を減少できる、ワイヤレスイヤホンに関する。
【背景技術】
【０００２】
科学技術の進歩に伴い、また通勤時の安全面を考慮して、ケーブルのないワイヤレスイヤホンがすでに従来の有線イヤホンに取って代わりつつある。
有線イヤホンは使用時にケーブルが引っ張られやすいだけでなく、収納時もケーブルを収納する追加動作が必要であり、ケーブルを確実に収納しないと、ケーブルがもつれ、ケーブルが破損することがある。このため、ワイヤレスイヤホンが従来の有線イヤホンに取って代わりつつある。
【０００３】
現在市販されているワイヤレスイヤホンは、体積が小さくなる一方であるため、ワイヤレスイヤホン内部の空間が限られる。このような限られた空間内にすべての部品を組み込む必要があるため、組立工程が複雑になっており、大量の人力を投入して組立てざるを得ず、この結果、人件費が大幅に高くなっている。
【考案の概要】
【考案が解決しようとする課題】
【０００４】
本考案が解決しようとする課題は、組立工程を簡素化して組立て効率を高め、人件費を減少できるモジュール化したワイヤレスイヤホンを提供することにある。
【課題を解決するための手段】
【０００５】
本考案のモジュール化したワイヤレスイヤホンは、内部モジュールアセンブリと、給電ユニットと、スピーカーと、ハウジングとを含み、該内部モジュールアセンブリが少なくとも１つの回路モジュールと絶縁ハウジングを備え、該回路モジュールが、相互に電気的に接続され、前記回路モジュールの信号伝達が正常であるか否かを検出するのに用いる少なくとも１つの検出接点と、ＡＮＴセンサーと、少なくとも１つの収音マイクと、少なくともワイヤレスイヤホンのオン、オフに用いられるコントロールスイッチを備え、前記絶縁ハウジングが前記回路モジュールを被覆し、かつ前記検出接点と、収音マイクと、コントロールスイッチを該絶縁ハウジングの外部に露出させ、前記給電ユニットが前記回路モジュールと相互に電気的に接続されて給電を行い、前記スピーカーが前記回路モジュールと相互に電気的に接続され、前記ハウジングが、前記内部モジュールアセンブリと、給電ユニットと、スピーカーを被覆する。
【０００６】
一実施例において、前記回路モジュールがさらに、少なくとも１つのリジッド回路板を含み、かつ前記検出接点と、ＡＮＴセンサーと、収音マイクと、コントロールスイッチが前記リジッド回路板上に設置され、かつ該リジッド回路板が前記絶縁ハウジングに被覆される。
一実施例において、前記回路モジュールがさらに、少なくとも１つのリジッド回路板及
び少なくとも１つのフレキシブル回路板を含み、前記検出接点とコントロールスイッチが該リジッド回路板上に設置され、前記ＡＮＴセンサーと収音マイクが該フレキシブル回路板上に設置され、かつ前記リジッド回路板とフレキシブル回路板が前記絶縁ハウジングに被覆される。
【０００７】
一実施例において、前記回路モジュールがさらに少なくとも１つの充電接点を含み、かつ該充電接点が該フレキシブル回路板上に設置される。
一実施例において、前記回路モジュールがさらに少なくとも１つの発光ユニットを含み、該発光ユニットが前記リジッド回路板上に設置される。
一実施例において、前記回路モジュールが前記給電ユニットと相互に電気的に接続された少なくとも１つの給電接点を含み、該給電接点が前記リジッド回路板上に設置される。
一実施例において、前記回路モジュールがさらに少なくとも１つの充電接点と、少なくとも１つの発光ユニットと、少なくとも１つの給電接点を含み、かつ前記収音マイクがさらに第１収音マイクと、第２収音マイクを含む。
【０００８】
一実施例において、前記回路モジュールがさらに、第１リジッド回路板と、第２リジッド回路板と、該第１リジッド回路板と該第２リジッド回路板の間に連接された第１フレキシブル回路板と、該第１リジッド回路板に連接された第２フレキシブル回路板と、該第２リジッド回路板に連接された第３フレキシブル回路板を含み、前記検出接点と、コントロールスイッチと、発光ユニットが該第１リジッド回路板上に設置され、前記給電接点が該第２リジッド回路板上に設置され、前記第１収音マイクが該第１フレキシブル回路板上に設置され、前記ＡＮＴセンサーが該第２フレキシブル回路板上に設置され、前記第２収音マイク及び給電接点が該第３フレキシブル回路板上に設置される。
【０００９】
一実施例において、前記第１リジッド回路板及び第２リジッド回路板が可撓性を備えておらず、前記絶縁ハウジングに被覆される。
一実施例において、前記第１フレキシブル回路板と、前記第２フレキシブル回路板と、前記第３フレキシブル回路板がそれぞれ可撓性を備え、かつ前記絶縁ハウジングに被覆される。
【考案の効果】
【００１０】
本考案のモジュール化したワイヤレスイヤホンは、内部モジュールアセンブリがモジュール化されているため、組立工程を効果的に簡素化し、組立ての人件費を減少して、組立てコストを減少する効果を達成できる。
【図面の簡単な説明】
【００１１】
【図１】本考案の実施例を示すモジュール化したワイヤレスイヤホンの分解斜視図である。
【図２】本考案の実施例に係る内部モジュールアセンブリの斜視図である。
【図３】本考案の実施例に係る内部モジュールアセンブリの別の角度から見た斜視図である。
【図４】本考案の実施例に係る回路モジュールの斜視図である。
【図５】本考案の実施例に係る回路モジュールの側面図である。
【図６】本考案の実施例に係る回路モジュールの平面図である。
【図７】本考案の実施例に係る内部モジュールアセンブリのさらに別の角度から見た斜視図である。
【考案を実施するための形態】
【００１２】
以下、図面に基づいて本考案の実施例を詳細に説明する。
図１から図４に示すように、本実施例のモジュール化したワイヤレスイヤホン１０は、内部モジュールアセンブリ２０と、給電ユニット３０と、スピーカー４０と、ハウジング５０を含む。
【００１３】
内部モジュールアセンブリ２０は、回路モジュール６０と、絶縁ハウジング７０を含む。
回路モジュール６０上には、相互に電気的に接続された少なくとも１つの検出接点６１と、ＡＮＴセンサー６２と、少なくとも１つの収音マイク６３と、少なくとも１つのコントロールスイッチ６４と、少なくとも１つの充電接点６５（図６参照）と、少なくとも１つの発光ユニット６６と、給電接点６７が設置され、回路モジュール６０が、主に少なくとも１つの回路板６８を通じて、検出接点６１、ＡＮＴセンサー６２、収音マイク６３、コントロールスイッチ６４、充電接点６５、発光ユニット６６、給電接点６７を相互に電気的に接続させる。
【００１４】
検出接点６１は回路モジュール６０の信号伝達が正常であるか否かを検出するために用いられる。
ＡＮＴセンサー６２は通信設備（図示しない、例えば携帯電話や通話機能を備えたタブレット等）と無線信号の伝送を行うために用いられる。
収音マイク６３は使用者が発する音声を接受するために用いられ、回路モジュール６０が該音声をデジタル信号に変換する。
コントロールスイッチ６４は少なくともワイヤレスイヤホン１０のオン、オフに用いられ、必要であれば、音量調整の動作に用いられる。
充電接点６５は外部電源（図示しない、充電器等）と接続され、給電ユニット３０に対して充電を行うために用いられる。
発光ユニット６６はワイヤレスイヤホン１０の使用状態を表示するために用いられる。
給電接点６７は給電ユニット３０と電気的に接続され、ワイヤレスイヤホン１０の動作時に必要な電力を提供するために用いられる。
【００１５】
回路板６８は、単一の可撓性を備えていないリジッド回路板６８１、または少なくとも１つの可撓性を備えていないリジッド回路板６８１と少なくとも１つの可撓性を備えたフレキシブル回路板６８２、或いは複数の可撓性を備えたフレキシブル回路板６８２で構成することができる。
本実施例において、回路モジュール６０は、第１リジッド回路板６８１１と、第２リジッド回路板６８１２と、第１リジッド回路板６８１１と第２リジッド回路板６８１２の間に連接された第１フレキシブル回路板６８２１と、第１リジッド回路板６８１１に連接された第２フレキシブル回路板６８２２と、第２リジッド回路板６８１２に連接された第３フレキシブル回路板６８２３を含む。
検出接点６１と、コントロールスイッチ６４と、発光ユニット６６が第１リジッド回路板６８１１上に設置され、給電接点６７が該第２リジッド回路板６８１２上に設置され、ＡＮＴセンサー６２が第２フレキシブル回路板６８２２上に設置される。
【００１６】
このほか、本実施例の主要な実施態様において、回路モジュール６０上に２つの収音マイク６３が設置される。収音マイク６３は、第１収音マイク６３１と第２収音マイク６３２を含む。
第１収音マイク６３１は第１フレキシブル回路板６８２１上に設置され、ハウジング５０外部からの音声を接受するために用いられる。第２収音マイク６３２は充電接点６５と第３フレキシブル回路板６８２３上に設置され（図６参照）、ハウジング５０内部の音声を接受するために用いられ、ノイズキャンセルの目的を達する。
本実施例における、回路板６８、検出接点６１、収音マイク６３、コントロールスイッチ６４、充電接点６５、発光ユニット６６、給電接点６７の数量及び位置は、ワイヤレスイヤホン１０の機能に基づき変化または増減させることができる。
【００１７】
絶縁ハウジング７０は、回路モジュール６０を被覆し、かつ検出接点６１、収音マイク６３、コントロールスイッチ６４、充電接点６５、発光ユニット６６等を絶縁ハウジング７０の外部に露出させることができる。
また、絶縁ハウジング７０はポッティングまたは射出成型の方法で成型することができる。つまり、第１リジッド回路板６８１１、第２リジッド回路板６８１２、第１フレキシブル回路板６８２１、第２フレキシブル回路板６８２２、第３フレキシブル回路板６８２３等を治具または金型（図示しない）内に入れて位置決めした後、ポッティングまたは射出成型を行い、第１リジッド回路板６８１１、第２リジッド回路板６８１２、第１フレキシブル回路板６８２１、第２フレキシブル回路板６８２２、第３フレキシブル回路板６８２３等を絶縁ハウジング７０内部に被覆して固定する。これにより、内部モジュールアセンブリ２０にモジュール化した設計を形成させることができ、かつ絶縁ハウジング７０の形状は該治具または該金型を利用してワイヤレスイヤホン１０の外形に伴い変化させることができる。
【００１８】
給電ユニット３０は、内部モジュールアセンブリ２０上の給電接点６７と相互に電気的に接続され、回路モジュール６０の動作時に必要な電源を提供する。
本実施例において、給電ユニット３０は内部モジュールアセンブリ２０上の充電接点６５を通じて外部電源（図示しない、充電器等）と電気的に接続され、給電ユニット３０に対して充電を行う。給電ユニット３０はワイヤレス充電技術を通じて充電の効果を達成することもできる。
【００１９】
スピーカー４０は内部モジュールアセンブリ２０上の第１リジッド回路板６８１１と相互に電気的に接続される。スピーカー４０を第１リジッド回路板６８１１と効果的に電気的に接続させるために、第１リジッド回路板６８１１上にさらに少なくとも１つの信号接点６９が設置され、信号接点６９を通じて該第１リジッド回路板６８１１をスピーカー４０と電気的に接続させることができる。
本実施例において、スピーカー４０は絶縁ハウジング７０上に埋設され、絶縁ハウジング７０と相互に一体成型される。スピーカー４０が絶縁ハウジング７０上に埋設されるとき、スピーカー４０と回路モジュール６０を一緒に前述の治具または金型内に設置してから、ポッティングまたは射出成型を施し、スピーカー４０を絶縁ハウジング７０上に埋設し、一体成型を形成する。但し、実際の応用上、スピーカー４０は絶縁ハウジング７０と分離してもよい。
【００２０】
ハウジング５０は内部モジュールアセンブリ２０と、給電ユニット３０と、スピーカー４０を被覆し、ワイヤレスイヤホン１０を構成するために用いられる。
本実施例において、ハウジング５０は、前部ハウジング５１と、後部ハウジング５２から構成され、内部モジュールアセンブリ２０と、給電ユニット３０と、スピーカー４０が前部ハウジング５１と後部ハウジング５２の間に設置される。
但し、実際の応用上、ハウジング５０は射出成形方式で内部モジュールアセンブリ２０と、給電ユニット３０と、スピーカー４０の外部に一体成型してもよい。
【００２１】
これにより、本考案のワイヤレスイヤホン１０の組立て時、内部モジュールアセンブリ２０がすでにモジュール化されているため、取り付け時は内部モジュールアセンブリ２０と、給電ユニット３０と、スピーカー４０のみを前部ハウジング５１及び後部ハウジング５２の間に組込んでから、前部ハウジング５１と後部ハウジング５２を相互に接着すればよい。接着方式は高周波、超音波または接着剤等の方式を採用でき、前部ハウジング５１と後部ハウジング５２間を効果的に接着し、該ワイヤレスイヤホン１０の該ハウジング５０を形成することができる。
これにより、効果的に組立て時間を短縮し、組立ての効率を高め、同時に組立ての歩留まりを向上することができる。また、内部モジュールアセンブリ２０のモジュール化した一体式設計を通じ、組立ての手作業を減少し、組立てコストを大幅に抑制する効果を達することもできる。
【００２２】
このほか、図１から図７に示すように、本実施例において、回路モジュール６０は複数のリジッド回路板６８１と複数のフレキシブル回路板６８２が相互に電気的に接続され、第１リジッド回路板６８１１と第２リジッド回路板６８１２が相互に平行に設置され、第１フレキシブル回路板６８２１と、第２フレキシブル回路板６８２２と、第３フレキシブル回路板６８２３が可撓性を備えている。
このため、第１リジッド回路板６８１１と、第２リジッド回路板６８１２と、第１フレキシブル回路板６８２１と、第２フレキシブル回路板６８２２と、第３フレキシブル回路板６８２３等を前述の治具または金型内部に設置するときは、先に第１リジッド回路板６８１１と第２リジッド回路板６８１２を平行に治具または金型内に配置してから、第１フレキシブル回路板６８２１と、第２フレキシブル回路板６８２２と、第３フレキシブル回路板６８２３等をあらかじめ折り曲げて固定した後、治具または金型内でポッティングまたは射出成型を行うことで、内部モジュールアセンブリ２０をモジュール化した一体式設計とすることができる。
【００２３】
本実施例において、内部モジュールアセンブリ２０のモジュール化を完了する前に、あらかじめ給電ユニット３０と給電接点６７を電気的に接続し、スピーカー４０と信号接点６９を相互に電気的に接続した後、回路モジュール６０と、給電ユニット３０と、スピーカー４０を前述の治具または金型内に同時に入れ、最後にポッティング及び射出成形作業を行う。
これにより、内部モジュールアセンブリ２０と、給電ユニット３０と、スピーカー４０にモジュール化した一体式設計を形成させ、最後にハウジング５０に組み込んで、ワイヤレスイヤホン１０を構成でき、組立工程を大幅に短縮し、コスト削減の効果を効果的に達成することができる。
当然、給電ユニット３０とスピーカー４０は内部モジュールアセンブリ２０と一体とした設計にしなくてもよく、内部モジュールアセンブリ２０と、給電ユニット３０と、スピーカー４０はハウジング５０のデザインに合わせて適切な位置に配置でき、ワイヤレスイヤホン１０の多様性を高めることができる。
【００２４】
本考案のモジュール化したワイヤレスイヤホン１０は、給電ユニット３０を通じてワイヤレスイヤホン１０の動作時に必要な電源を提供し、ＡＮＴセンサー６２と前述の通信設備を利用して無線信号伝送を行い、第１収音マイク６３１を通じて使用者の音声を接受した後、第２収音マイク６３２を利用してノイズキャンセルを行い、ＡＮＴセンサー６２を通じて音声信号を前述の通信設備に伝送し、該通信設備から受信者に伝送する。
該通信設備が受信者の回答した信号を受信すると、該通信設備がＡＮＴセンサー６２を通じて該信号をワイヤレスイヤホン１０に伝送し、音声信号に変換してから、最後にスピーカー４０から再生し、使用者に受信者の発する音声を接受させることができる。
このほか、ワイヤレスイヤホン１０はコントロールスイッチ６４を通じてオン／オフ動作と音量調整動作を行うことができ、かつ発光ユニット６６を通じてワイヤレスイヤホン１０の使用状態を表示することができる。
【００２５】
以上は、本考案の実施態様の説明にすぎず、これを以って本考案の権利範囲を限定することはできない。当業者による本考案の要旨を逸脱しない同等効果の修飾や変化は、いずれも本考案の権利範囲に含まれる。
【符号の説明】
【００２６】
１０      ワイヤレスイヤホン
２０      内部モジュールアセンブリ
３０      給電ユニット
４０      スピーカー
５０      ハウジング
５１      前部ハウジング
５２      後部ハウジング
６０      回路モジュール
６１      検出接点
６２      ＡＮＴセンサー
６３      収音マイク
６３１    第１収音マイク
６３２    第２収音マイク
６４      コントロールスイッチ
６５      充電接点
６６      発光ユニット
６７      給電接点
６８      回路板
６９      信号接点
６８１    リジッド回路板
６８１１  第１リジッド回路板
６８１２  第２リジッド回路板
６８２    フレキシブル回路板
６８２１  第１フレキシブル回路板
６８２２  第２フレキシブル回路板
６８２３  第３フレキシブル回路板
７０      絶縁ハウジング
【図１】
0003221202.tif 000003
【図２】
0003221202.tif 000004
【図３】
0003221202.tif 000005
【図４】
0003221202.tif 000006
【図５】
0003221202.tif 000007
【図６】
0003221202.tif 000008
【図７】
0003221202.tif 000009
【手続補正書】
【提出日】平成31年3月8日(2019.3.8)
【手続補正１】
【補正対象書類名】実用新案登録請求の範囲
【補正対象項目名】請求項１
【補正方法】変更
【補正の内容】
【請求項１】
モジュール化したワイヤレスイヤホンであって、内部モジュールアセンブリと、給電ユニットと、スピーカーと、ハウジングと、を含み、
該内部モジュールアセンブリが少なくとも１つの回路モジュールと絶縁ハウジングを備え、該回路モジュールが、相互に電気的に接続された、前記回路モジュールの信号伝達が正常であるか否かを検出するのに用いる少なくとも１つの検出接点と、ＡＮＴセンサーと、少なくとも１つの収音マイクと、少なくともワイヤレスイヤホンのオン、オフに用いられるコントロールスイッチを備え、前記絶縁ハウジングが、前記検出接点と、収音マイクと、コントロールスイッチを該絶縁ハウジングの外部に露出させた状態で前記回路モジュールを被覆し、
前記給電ユニットが前記回路モジュールと相互に電気的に接続されて給電を行い、
前記スピーカーが前記回路モジュールと相互に電気的に接続され、
前記ハウジングが、前記内部モジュールアセンブリと、給電ユニットと、スピーカーを被覆する、
ことを特徴とする、モジュール化したワイヤレスイヤホン。
【手続補正２】
【補正対象書類名】実用新案登録請求の範囲
【補正対象項目名】請求項４
【補正方法】変更
【補正の内容】
【請求項４】
前記回路モジュールがさらに少なくとも１つの充電接点を含み、かつ該充電接点が該フレキシブル回路板上に設置されることを特徴とする、請求項３に記載のモジュール化したワイヤレスイヤホン。